(57)【要約】【解決手段】椅子用補助具は、椅子の前方へ向うに従い椅子の下方へ向けて延びるように湾曲する棒状部の湾曲部３に支持される連結機構部６と、連結機構部６に支持された補助機能部とを備えている。連結機構部６は、補助機能部を上下方向Ｚへ回動可能に支持して複数の回動位置で保持し得る保持位置調節部１２と、湾曲部３に対し着脱可能に連結される着脱連結部１１とを備えている。着脱連結部１１は、湾曲部３の上部３ａに支持された状態で補助機能部に生じる荷重の上向き分力ＦＵにより湾曲部３の上部３ａの下側に圧接される上側支持部１３と、湾曲部３の下部３ｂに支持された状態で補助機能部に生じる荷重の下向き分力ＦＤにより湾曲部３の下部３ｂの上側に圧接される下側支持部１４とを備えている。【効果】補助機能部を簡単に持ち運びできるとともに、必要に応じて椅子に取り付けて利用することができ、椅子利用者にとって大変便利になる。【選択図】図２
2005137440.tif 000002
【特許請求の範囲】
【請求項１】
椅子に設けた棒状部に支持される連結機構部と、この連結機構部に支持された補助機能部とを備え、
前記連結機構部は、前記補助機能部を回動可能に支持して複数の回動位置で保持し得る保持位置調節部と、前記棒状部に対し着脱可能に連結される着脱連結部とを備え、
前記着脱連結部は、前記棒状部に支持された状態で前記補助機能部に生じる荷重の分力によりこの棒状部に圧接される支持部を備えている
ことを特徴とする椅子用補助具。
【請求項２】
椅子において上方から下方へ延びるように設けた棒状部に支持される連結機構部と、この連結機構部に支持された補助機能部とを備え、
前記連結機構部は、前記補助機能部を回動可能に支持して複数の回動位置で保持し得る保持位置調節部と、前記棒状部に対し着脱可能に連結される着脱連結部とを備え、
前記着脱連結部は、前記棒状部の上部に支持された状態で前記補助機能部に生じる荷重の上向き分力によりこの棒状部の上部に圧接される上側支持部と、前記棒状部の下部に支持された状態で前記補助機能部に生じる荷重の下向き分力によりこの棒状部の下部に圧接される下側支持部とを備えている
ことを特徴とする椅子用補助具。
【請求項３】
前記着脱連結部の上側支持部は、棒状部の上部下側を支える下側挟持部と、棒状部の上部上側を支える上側挟持部とを備え、この下側挟持部と上側挟持部とを相対動させることにより、この下側挟持部と上側挟持部との間で棒状部の上部を挟持するものであることを特徴とする請求項２に記載の椅子用補助具。
【請求項４】
前記上側支持部の下側挟持部は環状の締付バンドに設けられ、この締付バンドは、前記下側挟持部である下壁部と、この下壁部に面する上壁部と、この下壁部と上壁部との間の両側壁部と、この下壁部と上壁部と両側壁部とで囲まれる挿通孔とを有し、
この上側支持部は前記締付バンドの上壁部を上下動可能に案内する案内部を有し、この案内部に対する上壁部の上下動に伴い、前記締付バンドの挿通孔に挿通された棒状部の上部下側に対しこの締付バンドの下壁部が前記補助機能部に生じる荷重の上向き分力により圧接される締付状態と、この棒状部の上部下側に対する締付バンドの下壁部の圧接を解除する締付解除状態とを取り得る
ことを特徴とする請求項３に記載の椅子用補助具。
【請求項５】
前記締付バンドの上壁部は互いに分離可能に連結した締付バンドの両端部を有し、この締付バンドの両端部を互いに分離して棒状部をこの両端部間を通して締付バンドに対し着脱可能にしたことを特徴とする請求項４に記載の椅子用補助具。
【請求項６】
前記着脱連結部の下側支持部は、棒状部の下部上側に対し圧接される圧接板を備えていることを特徴とする請求項２から請求項５のうちいずれかの請求項に記載の椅子用補助具。
【請求項７】
前記保持位置調節部は、前記補助機能部を回動可能に支持する回動体と、この回動体に対し係脱される係止体とを備え、前記補助機能部に生じる荷重によりこの回動体に生じる回動力に抗するようにこの係止体が回動体に係止されてこの補助機能部を複数の回動位置で保持し得ることを特徴とする請求項１から請求項６のうちいずれかの請求項に記載の椅子用補助具。
【発明の詳細な説明】
【技術分野】
【０００１】
本発明は、介護用車椅子などの各種椅子に設けた棒状部に対し必要に応じて着脱されて使用される各種補助具に関するものである。
【背景技術】
【０００２】
従来、被介護者が利用する椅子では、椅子に座った被介護者に必要なテーブル等の各種介護用品が据え付けてある。
【発明の開示】
【発明が解決しようとする課題】
【０００３】
必要な介護用品は時と場所に応じて変化するが、必要なすべての介護用品を椅子に据え付けると、椅子が嵩張るため、椅子に据え付ける介護用品は制限せざるを得ない。
そこで、本発明は、椅子に座った被介護者が時と場所に応じて必要とする介護用品などの補助機能部を、簡単に持ち運びできるようにするとともに、必要に応じて椅子に取り付けて利用することができるようにすることを目的としている。
【課題を解決するための手段】
【０００４】
後記実施形態の図面（図１〜４）の符号を援用して本発明を説明する。
請求項１の発明にかかる椅子用補助具（５）は下記のように構成されている。
この椅子用補助具（５）は、椅子（例えば介護用車椅子）に設けた棒状部（１）、例えば、椅子の前方へ向うに従い椅子の下方へ向けて延びる棒状部（１）に支持される連結機構部（６）と、この連結機構部（６）に支持された補助機能部（７）とを備えている。前記連結機構部（６）は、前記補助機能部（７）を回動可能に支持して複数の回動位置で保持し得る保持位置調節部（１２）と、前記棒状部（１）に対し着脱可能に連結される着脱連結部（１１）とを備えている。前記着脱連結部（１１）は、前記棒状部（１）に支持された状態で前記補助機能部（７）に生じる荷重の分力（ＦＵ，ＦＤ）によりこの棒状部（１）に圧接される支持部（１３，１４）を備えている。
【０００５】
請求項２の発明にかかる椅子用補助具（５）は下記のように構成されている。
この椅子用補助具（５）は、椅子（例えば介護用車椅子）において上方から下方へ延びるように設けた棒状部（１）、例えば、椅子の前方へ向うに従い椅子の下方へ向けて延びるように湾曲する棒状部（１）に支持される連結機構部（６）と、この連結機構部（６）に支持された補助機能部（７）とを備えている。この補助機能部（７）は、例えば、介護用車椅子に座った被介護者に必要な各種介護用品などである。前記連結機構部（６）は、前記補助機能部（７）を例えば上下方向（Ｚ）へ回動可能に支持して複数の回動位置で保持し得る保持位置調節部（１２）と、前記棒状部（１）に対し着脱可能に連結される着脱連結部（１１）とを備えている。前記着脱連結部（１１）は、前記棒状部（１）の上部（３ａ）に支持された状態で前記補助機能部（７）に生じる荷重の上向き分力（ＦＵ）によりこの棒状部（１）の上部（３ａ）に圧接される上側支持部（１３）と、前記棒状部（１）の下部（３ｂ）に支持された状態で前記補助機能部（７）に生じる荷重の下向き分力（ＦＤ）によりこの棒状部（１）の下部（３ｂ）に圧接される下側支持部（１４）とを備えている。
【０００６】
請求項１〜２の発明では、椅子の棒状部（１）に対し補助具（５）を必要に応じて着脱することができる。特に、請求項２の発明では、上方から下方へ延びる棒状部（１）に対し補助具（５）を上側支持部（１３）と下側支持部（１４）とにより確実に支持することができる。
【０００７】
請求項２の発明を前提とする請求項３の発明において、前記着脱連結部（６）の上側支持部（１３）は、棒状部（１）の上部（３ａ）の下側を支える下側挟持部（２７）と、棒状部（１）の上部（３ａ）の上側を支える上側挟持部（１８ａ，１９ａ）とを備え、この下側挟持部（２７）と上側挟持部（１８ａ，１９ａ）とを相対動させることにより、この下側挟持部（２７）と上側挟持部（１８ａ，１９ａ）との間で棒状部（１）の上部（３ａ）を挟持するものである。
【０００８】
請求項３の発明を前提とする請求項４の発明は、下記のように構成されている。
前記上側支持部（１３）の下側挟持部（２７）は環状の締付バンド（２３）に設けられている。この締付バンド（２３）は、前記下側挟持部である下壁部（２７）と、この下壁部（２７）に面する上壁部（２８）と、この下壁部（２７）と上壁部（２８）との間の両側壁部（２９）と、この下壁部（２７）と上壁部（２８）と両側壁部（２９）とで囲まれる挿通孔（３０）とを有している。この上側支持部（１３）は前記締付バンド（２３）の上壁部（２８）を上下動可能に案内する案内部（１８，１９）を有している。この案内部（１８，１９）に対する上壁部（２８）の上下動に伴い、前記締付バンド（２３）の挿通孔（３０）に挿通された棒状部（１）の上部（３ａ）の下側に対しこの締付バンド（２３）の下壁部（２７）が前記補助機能部（７）に生じる荷重の上向き分力（ＦＵ）により圧接される締付状態（Ｒ）と、この棒状部（１）の上部（３ａ）の下側に対する締付バンド（２３）の下壁部（２７）の圧接を解除する締付解除状態（Ｓ）とを取り得る。
【０００９】
請求項３〜４の発明では、簡単な構造の上側支持部（１３）により、棒状部（１）の上部（３ａ）を確実に保持することができる。
請求項４の発明を前提とする請求項５発明において、前記締付バンド（２３）の上壁部（２８）は互いに分離可能に連結した締付バンド（２３）の両端部（２４，２５）を有し、この締付バンド（２３）の両端部（２４，２５）を互いに分離して棒状部（１）をこの両端部（２４，２５）間を通して締付バンド（２３）に対し着脱可能にした。請求項５の発明では、棒状部（１）の上部（３ａ）に対し締付バンド（２３）を容易に着脱することができる。
【００１０】
請求項２から請求項５のうちいずれかの請求項の発明を前提とする請求項６の発明において、前記着脱連結部（１１）の下側支持部（１４）は、棒状部（１）の下部（３ｂ）の上側に対し圧接される圧接板（３２）を備えている。請求項６の発明では、下側支持部（１４）を簡単な構造にすることができるとともに、棒状部（１）の下部（３ｂ）に対し下側支持部（１４）の圧接板（３２）を容易に着脱することができる。
【００１１】
請求項１から請求項６のうちいずれかの請求項の発明を前提とする請求項７の発明において、前記保持位置調節部（１２）は、前記補助機能部（７）を例えば上下方向（Ｚ）へ回動可能に支持する回動体（例えば爪車３３）と、この回動体（３３）に対し係脱される係止体（例えば爪３５）とを備え、前記補助機能部（７）に生じる荷重によりこの回動体（３３）に生じる回動力に抗するようにこの係止体（３５）が回動体（３３）に係止されてこの補助機能部（７）を複数の回動位置で保持し得る。請求項７の発明では、簡単な構造の保持位置調節部（１２）により、補助機能部（７）の回動位置を変更することができる。
【００１２】
請求項７の発明を前提とする第８の発明において、前記回動体（３３）は、前記係止体（３５）に対する係止状態でも、前記補助機能部（７）に生じる荷重により回動体（３３）が回動する向き（Ｐ）に対し反対になる向き（Ｑ）へ回動し得る。第８の発明では、補助機能部（７）を下方から上方へ回動させるだけで、補助機能部（７）の回動位置を設定することができる。
【発明の効果】
【００１３】
本発明は、例えば介護用車椅子に座った被介護者が時と場所に応じて必要とする介護用品などの補助機能部（７）を、簡単に持ち運びできるとともに、必要に応じて椅子に取り付けて利用することができ、椅子利用者にとって大変便利になる。
【発明を実施するための最良の形態】
【００１４】
以下、本発明の一実施形態にかかる椅子用補助具について図面を参照して説明する。
図示しない介護用車椅子のフレームの前側には、図１に示すように、棒状部１（パイプ）が前方へ向うに従い下方へ向けて延びるように設けられている。この棒状部１は水平な横桿２から湾曲部３を経て縦桿４に至る。この介護用車椅子のフレームの前側に取り付けられる補助具５は、後で詳述するように、前記棒状部１に支持される連結機構部６と、この連結機構部６に対し支持された補助機能部７とを備えている。
【００１５】
＜図２〜４に示す前記連結機構部６＞
ケース８は、両側カバー９ａ，９ｂが互いに重合された外カバー９と、その外カバー９の内側で取着された内カバー１０とを備えている。このケース８には、後で詳述するように、前記棒状部１に対し着脱可能に連結される着脱連結部１１と、前記補助機能部７を支持する保持位置調節部１２とが組み込まれている。さらに、この着脱連結部１１は、前記棒状部１の湾曲部３の上部３ａ（前記横桿２との境界部で水平な部分）に支持される上側支持部１３と、この湾曲部３の下部３ｂ（前記横桿２との境界部と前記縦桿４との境界部との間における湾曲部３の中間部で傾斜した部分）に支持される下側支持部１４とを備えている。
【００１６】
＊  前記着脱連結部１１の上側支持部１３
前記ケース８の後端部で内カバー１０の内側に挟持部材１５が取着されている。この挟持部材１５は、前記外カバー９に貫設された透孔１６に面するように外カバー９の内側に当接された上壁部１７と、この上壁部１７の前後両側から下方へ延びる側壁部１８，１９（案内部）とからなる。この前後両側壁部１８，１９の下端縁部と、この後側壁部１９に隣接する外カバー９の後端壁部２０の下端縁部とには、それぞれ、略半円弧状の挟持凹面１８ａ，１９ａ，２０ａ（上側挟持部）が形成されている。この挟持部材１５の上壁部１７に形成された透孔２１には操作ねじ２２が外カバー９の透孔１６から挿通されている。
【００１７】
前記挟持部材１５の内側に挿入される締付バンド２３は、両端部２４，２５を有する帯板である。この締付バンド２３は、Ｕ状に折り曲げられ、下壁部２７（下側挟持部）と、この下壁部２７に面するように両端部２４，２５で互いに重合された上壁部２８と、この下壁部２７と上壁部２８との間の両側壁部２９と、この下壁部２７と上壁部２８と両側壁部２９とで囲まれる挿通孔３０とを有している。この上壁部２８には雌ねじ孔３１ａを有する可動体３１（上壁部）が重合されている。この締付バンド２３の上壁部２８及び可動体３１は前記挟持部材１５の両側壁部１８，１９間で支持されている。前記操作ねじ２２は、両端部２４，２５に貫設された透孔２４ａ，２５ａに挿通されているとともに、この雌ねじ孔３１ａに螺合されている。この操作ねじ２２を回動させると、可動体３１が両端部２４，２５とともに両側壁部１８，１９に沿って上下方向Ｚへ移動するため、締付バンド２３の全体も上下動して下壁部２７が挟持部材１５の挟持凹面１８ａ，１９ａに対し接近及び離間する。ちなみに、締付バンド２３の上壁部２８で操作ねじ２２を両端部２４，２５の透孔２４ａ，２５ａから抜くと、その両端部２４，２５を互いに分離させることができる。
【００１８】
＊  前記着脱連結部１１の下側支持部１４
前記ケース８の前後方向中間部で内カバー１０の内側に圧接板３２が取着されている。この圧接板３２の下側に形成された当接面３２ａは、締付バンド２３の下壁部２７が挟持部材１５の挟持凹面１８ａ，１９ａに対し接近及び離間する方向である上下方向Ｚに対し傾斜している。
【００１９】
＊  前記保持位置調節部１２
前記ケース８の前部で内カバー１０の内側に爪車３３（回動体）が支軸３４を中心にして回動可能に支持されているとともに、この爪車３３に噛合し得る爪３５（係止体）が支軸３６を中心にして回動可能に支持されている。この爪３５は外カバー９の外側へ突出して操作摘み３７に連結されている。この爪３５は、ねじりコイルばね３８により付勢され、その弾性力により爪車３３に圧接されている。この操作摘み３７を前後方向Ｘへ移動させると、爪３５が支軸３４を中心に傾動して爪車３３に対し係脱される。この爪車３３には回動桿３９が連結され、この回動桿３９は爪車３３と一体的に回動し得る。この爪３５が爪車３３に係止された係止状態では、Ｐ矢印向きへの爪車３３の回動が阻止され、このＰ矢印向きに対し反対になるＱ矢印向きへの回動は許容される。この爪３５が爪車３３から離脱された係止解除状態では、爪車３３は前記両Ｐ，Ｑ矢印向きへ回動し得る。
【００２０】
＜図１に示す前記補助機能部７＞
前記爪車３３から延びる回動桿３９の先端部には支持桿４０が挿嵌されて連結ねじ４１により固定されている。この支持桿４０には複数の連結孔４０ａが並設されている。フットレストやテーブルなどの交換部品４２はこの支持桿４０に対し連結孔４０ａを利用して取り付けられる。この支持桿４０に対する交換部品４２の位置は、交換部品４２を取り付ける連結孔４０ａを変えることにより変更することができる。
【００２１】
＜介護用車椅子のフレームの棒状部１に対する補助具５の着脱＞
前記着脱連結部１１の上側支持部１３において、操作ねじ２２を締付バンド２３の両端部２４，２５の透孔２４ａ，２５ａから抜いてその両端部２４，２５を互いに分離し、湾曲部３の上部３ａをその両端部２４，２５間から締付バンド２３の挿通孔３０内に挿入する。その後、締付バンド２３の両端部２４，２５を互いに重合させてその両端部２４，２５の透孔２４ａ，２５ａに操作ねじ２２を挿通する。また、前記着脱連結部１１の下側支持部１４において、圧接板３２の当接面３２ａを湾曲部３の下部３ｂの上側に当てがう。次に、操作ねじ２２を締め付けると、可動体３１が上動して湾曲部３の上部３ａが挟持部材１５の挟持凹面１８ａ．１９ａと締付バンド２３の下壁部２７との間で挟持される。このようにして棒状部１に補助具５を取着した締付状態Ｒで、前記保持位置調節部１２において、爪車３３に対する爪３５の係脱に伴い、前記補助機能部７の支持桿４０の回動位置を設定する。この補助機能部７の交換部品４２に生じる荷重の上向き分力ＦＵにより締付バンド２３の下壁部２７が湾曲部３の上部３ａの下側に圧接されるとともに、この荷重の下向き分力ＦＤにより圧接板３２の当接面３２ａが湾曲部３の下部３ｂの上側に圧接される。
【００２２】
一方、操作ねじ２２を緩めると、可動体３１が下動して湾曲部３の上部３ａの下側に対する締付バンド２３の下壁部２７の圧接が解除される状態になる。この締付解除状態Ｓで、前述したように締付バンド２３の両端部２４，２５を互いに分離し、締付バンド２３の挿通孔３０内にある湾曲部３の上部３ａを両端部２４，２５間から離脱させる。
【図面の簡単な説明】
【００２３】
【図１】（ａ）は本実施形態にかかる椅子用補助具を示す正面図であり、（ｂ）は同じく平面図である。
【図２】図１（ａ）の椅子用補助具を正面側から見た部分断面図である。
【図３】図２の椅子用補助具で補助機能部の回動位置を変更した状態を示す部分断面図である。
【図４】（ａ）は図２のＡ−Ａ線断面図であり、（ｂ）は図２のＢ−Ｂ線断面図であり、（ｃ）は（ｂ）で締付バンドを緩めた状態を示す断面図である。
【符号の説明】
【００２４】
１…棒状部、３…湾曲部、３ａ…上部、３ｂ…下部、５…椅子用補助具、６…連結機構部、７…補助機能部、１１…着脱連結部、１２…保持位置調節部、１３…上側支持部、１４…下側支持部、１５…挟持部材、１８，１９…挟持部材の側壁部（案内部）、１８ａ，１９ａ…挟持凹面（上側挟持部）、２３…締付バンド、２４，２５…締付バンドの端部、２７…締付バンドの下壁部（下側挟持部）、２８…締付バンドの上壁部、２９…締付バンドの側壁部、３０…締付バンドの挿通孔、３２…圧接板、３３…爪車（回動体）、３５…爪（係止体）、ＦＵ…上向き分力、ＦＤ…下向き分力、Ｒ…締付状態、Ｓ…締付解除状態。
【図１】
2005137440.tif 000003
【図２】
2005137440.tif 000004
【図３】
2005137440.tif 000005
【図４】
2005137440.tif 000006